(57)【要約】【課題】１台の椅子で、高い姿勢と低い姿勢との作業ができると共に、低い姿勢から立ち上がる動作がスムーズに、かつ容易になる椅子を提供する。【解決手段】上部脚１と、この上部脚にスライドにともない伸縮するように嵌挿した下部脚２と、この上部脚内及び下部脚内のいずれかに組み込んで上記下部脚に突出方向の押圧力を付与する復帰力作用体３とで構成した脚部材Ａと、座部Ｂとからなり、上記座部の下面周縁少なくとも三等分位置に上記上部脚の上端を取付け、また上記脚部材に上記下部脚の伸長状態を維持するロック解除可能なロック装置Ｃを設けた構成を採用する。【選択図】図２
0003156696.tif 000002
【実用新案登録請求の範囲】
【請求項１】
上部脚と、この上部脚にスライドにともない伸縮するように嵌挿した下部脚と、この上部脚内及び下部脚内のいずれかに組み込んで上記下部脚に突出方向の押圧力を付与する復帰力作用体とで構成した脚部材と、座部とからなり、上記座部の下面周縁少なくとも三等分位置に上記上部脚の上端を取付け、また上記脚部材に上記下部脚の伸長状態を維持するロック解除可能なロック装置を設けたことを特徴とする椅子。
【請求項２】
上部脚と、この上部脚にスライドにともない伸縮するように嵌挿した下部脚と、この上部脚内と下部脚内のいずれかに組み込んで上記下部脚に突出方向の押圧力を付与する復帰力作用体とで構成した脚部材と、この脚部材の上端に下面中央を取付けた座部と、上記脚部材の下端に上面中央を取付けた座板と、上記脚部材に上記下部脚の伸長状態を維持するロック解除可能なように設けたロック装置とで構成した椅子。
【考案の詳細な説明】
【技術分野】
【０００１】
この考案は、各種作業などに使用する椅子に関するものである。
【背景技術】
【０００２】
例えば、収穫した農作物を仕分け或いは袋や箱詰めする場合、小屋の床や小屋のテーブル上に並べて行なう。
【０００３】
上記の作業を床に並べて行なう場合、腰を低くして（かがんで）行なうので、床に丈の小さな例えば小箱などを置いて腰をかけて行なう。
【０００４】
また、テーブル上で行なう場合、丈の大きい椅子を用いて行なうので、丈の異なる二種類のものが必要になる。
【０００５】
そこで、脚の高さを自由に調節できるようにした椅子がある（特許文献１）。
【先行技術文献】
【特許文献】
【０００６】
【特許文献１】特開平９−１００５０号公報
【考案の概要】
【考案が解決しようとする課題】
【０００７】
ところで、特許文献１の椅子は、脚部の高さを多段に頻繁に調節することができるようにしたもので、このような椅子を、上述のような作業に使用すると、座部が低い場合、腰をかがめて座る場合、高齢者が使用する際、座部に座る迄の動作が大変であった。
【０００８】
特に座った状態から立ち上がる際、膝を突っ張りながら座部から臀部を浮上させるので、臀部の浮上動作が大変であった。
【０００９】
そこで、この考案は、上述の問題を解決した椅子を提供することにある。  
【課題を解決するための手段】
【００１０】
上記の課題を解決するために、この考案は、上部脚と、この上部脚にスライドにともない伸縮するように嵌挿した下部脚と、この上部脚内及び下部脚内のいずれかに組み込んで上記下部脚に突出方向の押圧力を付与する復帰力作用体とで構成した脚部材と、座部とからなり、上記座部の下面周縁少なくとも三等分位置に上記上部脚の上端を取付け、また上記脚部材に上記下部脚の伸長状態を維持するロック解除可能なロック装置を設けた構成を採用する。
【００１１】
また、上部脚と、この上部脚にスライドにともない伸縮するように嵌挿した下部脚と、この上部脚内と下部脚内のいずれかに組み込んで上記下部脚に突出方向の押圧力を付与する復帰力作用体とで構成した脚部材と、この脚部材の上端に下面中央を取付けた座部と、上記脚部材の下端に上面中央を取付けた座板と、上記脚部材に上記下部脚の伸長状態を維持するロック解除可能なように設けたロック装置とからなる構成を採用する。
【考案の効果】
【００１２】
以上のように、この考案の椅子によれば、ロック装置のロックを解除して座部に座りながら体重をかけると、復帰力作用体を圧縮しながら脚材を収縮するので、作業しやすい低い位置に座部が停止する。
【００１３】
このため、低い姿勢で作業しやすい位置を保つと共に、膝を突っ張りながら座る姿勢とする不便をなくすることができる。
【００１４】
また、立つとき、腰を浮かせることで、復帰力作用体の圧縮復帰力により座部を押し上げるので、極めてスムーズに、かつ膝に強い立つ力を作用させることなく立つことができる。
【００１５】
そして、立ったのち、ロック装置をロックすることで、脚材の収縮を止めて、テーブル上などの作業に適した椅子とすることもできる。
【図面の簡単な説明】
【００１６】
【図１】図１は、この考案の第１の実施形態の椅子を示す斜視図である。
【図２】図２は、同上の一部切欠側面図である。
【図３】図３は、ロック装置を示す縦断側面図である。
【図４】図４は、ロックの解除を示す縦断側面図である。
【図５】図５は、同上の縦断正面図である。
【図６】図６は、使用状態を示す側面図である。
【図７】図７は、他の使用状態を示す側面図である。
【図８】図８は、この考案の第２の実施形態の椅子を示す斜視図である。
【図９】図９は、同上の一部切欠側面図である。
【考案を実施するための形態】
【００１７】
この考案の実施形態を添付図面に基づいて説明する。
【００１８】
第１の実施形態の図１から図３に示すＡは、脚部材である。
上記の脚部材Ａは、図示の場合、大径なパイプ製の上部脚１と、この上部脚１にスライドにともない伸縮するように嵌挿したパイプ製の下部脚２と、この上部脚１と下部脚２との内側に組み込んで下部脚２に突出方向の押圧力を付与した復帰力作用体３とで構成されている。
【００１９】
上記の復帰力作用体３は、図示の場合、コイル状のバネを用いたが、棒状のゴムや流体にガスなどを用いたシリンダなどであってもよい。
【００２０】
そして、上部脚１の下端部内周の段部４に下部脚２の上端の鍔部５が下部脚２の伸長時当接して、下部脚２が抜け落ちないようにしてある。
【００２１】
Ｂは座部である。
上記座部Ｂの下面周縁の少なくとも三等分位置（図示の場合、四等分位置）には、脚部材Ａの上端が取付けてある。
【００２２】
また、脚部材Ａには、下部脚２の伸長状態を維持し、かつ伸長状態のロックを解除することができるロック装置Ｃが設けてある。
【００２３】
上記のロック装置Ｃは、例えば図３、４、５に示すように、上部脚１の下端外周の一部に固定した筒体１１と、この筒体１１の外端壁１２の中心に設けた透孔１３と、上部脚１の下端部及び下部脚２の上部周壁に透孔１３と同一線上に設けた（下部脚２の伸長終了時）合致する貫通孔１４、１５と、この透孔１３から貫通孔１４、１５に挿通したピン１６と、ピン１６の途中の受部１７と端壁１２とに両端を当接させてピン１６の外側に嵌挿した圧縮状態の螺旋状のバネ１８とからなり、下部脚２の伸長終了時、貫通孔１４に合致する貫通孔１５にピン１６がバネ１８により自動的に嵌通して下部脚２の伸長状態を維持するようにロックされる。
【００２４】
上記ロックの解除は、ピン１６の末端の撮み１９により貫通孔１６からピン１６の先端が脱出するようにスライドさせる。  
【００２５】
このとき、ピン１６に設けてあるストッパピン２０が、筒体１１内から端壁１２の長孔２１（透孔１３の縁に連通する）を通過して筒体１１の端壁１２外に脱出し、脱出後ピン１６を撮み１９により４５度回動させて、ピン１６の引き戻しを解放する。
【００２６】
すると、図５鎖線から実線に示すようにストッパピン２０が端壁１２の外端面に当接してバネ１８によるピン１６の没入を阻止するので、図４に示すようにピン１６と貫通孔１５との係合関係がなく、下部脚２の収縮方向のスライドを可能にする。
【００２７】
勿論、ロック装置Ｃは、上記の構成に阻定されず、他の方式のロック機構を採用することもある。
【００２８】
上記のように構成すると、ロック装置Ｃによるロックを解除して、座部Ｂに座る。
【００２９】
すると、体重により復帰力作用体３を圧縮しながら座部Ｂが降下し、上部脚１に対し下部脚２を収縮させて、図６に示すように臀部を低くした姿勢で椅子を使用することができるので、床上での作業が可能になる。
【００３０】
この姿勢の状態から臀部を浮上させると、復帰力作用体３の圧縮復帰力を利用して、座部Ｂを強制的に上昇させ、上部脚１に対し下部脚２が自動的に伸長するので、低い姿勢から高い姿勢への立ち上がりが、膝を突っ張って立ち上がる強い力を必要とせず、図７に示す姿勢を容易にすることができる。
【００３１】
この姿勢は、テーブル上の作業に適す。
勿論、ロック装置Ｃによりロックして、下部脚２の収縮を止めておく。
【００３２】
第２の実施形態の図８及び図９に示すＡは脚部材である。
上記の脚部材Ａの構成は、第１の実施形態と同様につき詳細な説明を省略する。
【００３３】
Ｂは座部で、この座部Ｂの下面中央には、一本の脚部材Ａの上端が取付けてあり、また脚部材Ａの下端には、座板Ｆの上面中央が取付けてある。
【００３４】
また、脚部材Ａには、下部脚２の伸長状態を維持し、かつ伸長状態のロックを解除することができるロック装置Ｃが設けてある。
上記のロック装置Ｃは、第１の実施形態と同様につき詳細な説明を省略する。
【００３５】
すると、第１の実施形態と同様の使用が（使用状態は、同様につき説明を省略する）可能になる。
【００３６】
勿論、座部Ｂに背凭れを設けることも可能であり、かつ座部Ｂが回転できるようにすることも可能である。
なお、ロック装置Ｃによる脚部材Ａの伸長を複数段で止めるようにしてもよい。
【００３７】
そして、図示の場合、上部脚１と下部脚２とに角パイプを用いて廻り止めとしたが、丸パイプを使用して適宜の手段で廻り止めとしてもよい。
【産業上の利用可能性】
【００３８】
一台の椅子により、低い姿勢と、高い姿勢での作業などが可能になる。
【符号の説明】
【００３９】
Ａ  脚部材
Ｂ  座部
Ｃ  ロック装置
１  上部脚
２  下部脚
３  復帰力作用体
４  段部
５  鍔部
Ｆ  座板
【図１】
0003156696.tif 000003
【図２】
0003156696.tif 000004
【図３】
0003156696.tif 000005
【図４】
0003156696.tif 000006
【図５】
0003156696.tif 000007
【図６】
0003156696.tif 000008
【図７】
0003156696.tif 000009
【図８】
0003156696.tif 000010
【図９】
0003156696.tif 000011